(57)【要約】 【課題】照明反射板を固定的に設けることなく、簡単に後付けして照度を増すことができ、また、必要により交換したり調整することができるようにした照明反射装置を提供する。【解決手段】直管蛍光灯１０に装着して用いる照明反射装置２０であって、直管蛍光灯１０に沿って庇状に張出し可能な一対の反射板３０と、該反射板３０を直管蛍光灯１０に脱着可能な取付具４０とより成り、反射板３０は、直管蛍光灯１０の照明光が当る側は反射効率のよい反射面２１であり、直線状の基部には補強部３５が形成され、取付具４０は、直管蛍光灯１０を抱持可能な形状をした弾性体より成るクリップ状であり、該クリップ状の取付具４０の先端部が反射板３０の補強部３５に係合される。【選択図】図１
2005142053.tif 000002
【特許請求の範囲】
【請求項１】
直管蛍光灯に装着して用いる照明反射装置であって、
直管蛍光灯に沿って庇状に張出し可能な一対の反射板と、該反射板を直管蛍光灯に脱着可能な取付具とより成り、
前記反射板は、直管蛍光灯の照明光が当る側は反射効率のよい反射面であり、直線状の基部には補強部が形成され、
前記取付具は、直管蛍光灯を抱持可能な形状をした弾性体より成るクリップ状であり、該クリップ状の取付具の先端部が前記反射板の補強部に係合されることを特徴とする照明反射装置。
【請求項２】
直管蛍光灯に装着して用いる照明反射装置であって、
直管蛍光灯に沿って庇状に張出し可能な一対の反射板と、該反射板を直管蛍光灯に脱着可能な取付具とより成り、
前記反射板は、直管蛍光灯の照明光が当る側は反射効率のよい反射面であり、直線状の基部には補強部が形成され、
前記取付具は、直管蛍光灯を抱持可能な形状をした弾性体より成るクリップ状であり、クリップ状の取付具の先端部が前記反射板の補強部に係合され、
前記取付具を反射板に係合した状態で該取付具の先端部を開き直管蛍光灯に外嵌させて装着可能としたことを特徴とする照明反射装置。
【請求項３】
請求項１または２記載の照明反射装置において、
前記反射板の補強部は少なくとも両端部が管形に形成され、
前記クリップ状の取付具の先端部には前記反射板の補強部の管形の部分に嵌合する係合筒が保持され、
前記反射板と取付具とは、補強部の管形の部分と係合筒とが相対的に回動して、搬送時には折畳み可能、装着時には反射板の角度を調節可能にしたことを特徴とする照明反射装置。
【請求項４】
請求項１または２記載の照明反射装置において、
前記反射板の補強部には係合孔が穿設され、
前記クリップ状の取付具の先端部には前記反射板の補強部の係合孔に嵌合する係合爪が設けられ、
前記反射板と取付具とは、反射板の係合孔と取付具の係合爪とを係脱することで、搬送時には分離可能、装着時には組合せて直管蛍光灯に脱着可能にしたことを特徴とする照明反射装置。
【請求項５】
請求項１または２記載の照明反射装置において、
一対の反射板は、直管蛍光灯の上方を遮蔽または開放いずれにも構成可能であることを特徴とする照明反射装置。
【発明の詳細な説明】
【技術分野】
【０００１】
本発明は、直管蛍光灯に装着して用いる照明反射装置に関する。
【背景技術】
【０００２】
従来の照明反射装置としては、例えば特許文献１に示すようなものがある。  
すなわち、特許文献１の特開２００３−７１１９号公報には、直管蛍光灯に照明反射板を備えたものが開示されている。
【０００３】
【特許文献１】特開２００３−７１１９号公報
【発明の開示】
【発明が解決しようとする課題】
【０００４】
しかしながら、このような従来の技術では、照明反射板は装置に固定的に備えられており、もともと照明反射板がなかったり、あっても性能を変えたいような場合に、簡単には装着したり取り替えたりすることができないという問題点があった。
【０００５】
本発明は、このような従来の技術が有する問題点に着目してなされたもので、照明反射板を固定的に設けることなく、簡単に後付けして照度を増すことができ、また、必要により交換したり調整することができるようにした照明反射装置を提供することを目的としている。
【課題を解決するための手段】
【０００６】
かかる目的を達成するための本発明の要旨とするところは、次の各項の発明に存する。
［１］  直管蛍光灯（１０）に装着して用いる照明反射装置（２０）であって、
直管蛍光灯（１０）に沿って庇状に張出し可能な一対の反射板（３０）と、該反射板（３０）を直管蛍光灯（１０）に脱着可能な取付具（４０）とより成り、
前記反射板（３０）は、直管蛍光灯（１０）の照明光が当る側は反射効率のよい反射面（２１）であり、直線状の基部には補強部（３５）が形成され、
前記取付具（４０）は、直管蛍光灯（１０）を抱持可能な形状をした弾性体より成るクリップ状であり、該クリップ状の取付具（４０）の先端部が前記反射板（３０）の補強部（３５）に係合されることを特徴とする照明反射装置（２０）。
【０００７】
［２］  直管蛍光灯（１０）に装着して用いる照明反射装置（２０）であって、
直管蛍光灯（１０）に沿って庇状に張出し可能な一対の反射板（３０）と、該反射板（３０）を直管蛍光灯（１０）に脱着可能な取付具（４０）とより成り、
前記反射板（３０）は、直管蛍光灯（１０）の照明光が当る側は反射効率のよい反射面（２１）であり、直線状の基部には補強部（３５）が形成され、
前記取付具（４０）は、直管蛍光灯（１０）を抱持可能な形状をした弾性体より成るクリップ状であり、クリップ状の取付具（４０）の先端部が前記反射板（３０）の補強部（３５）に係合され、
前記取付具（４０）を反射板（３０）に係合した状態で該取付具（４０）の先端部を開き直管蛍光灯（１０）に外嵌させて装着可能としたことを特徴とする照明反射装置（２０）。
【０００８】
［３］  項１または２記載の照明反射装置（２０）において、
前記反射板（３０）の補強部（３５）は少なくとも両端部が管形に形成され、
前記クリップ状の取付具（４０）の先端部には前記反射板（３０）の補強部（３５）の管形の部分に嵌合する係合筒（４５）が保持され、
前記反射板（３０）と取付具（４０）とは、補強部（３５）の管形の部分と係合筒（４５）とが相対的に回動して、搬送時には折畳み可能、装着時には反射板（３０）の角度を調節可能にしたことを特徴とする照明反射装置（２０）。
【０００９】
［４］  項１または２記載の照明反射装置（２０）において、
前記反射板（３０）の補強部（３５）には係合孔（３６）が穿設され、
前記クリップ状の取付具（４０）の先端部には前記反射板（３０）の補強部（３５）の係合孔（３６）に嵌合する係合爪（４５ａ）が設けられ、
前記反射板（３０）と取付具（４０）とは、反射板（３０）の係合孔（３６）と取付具（４０）の係合爪（４５ａ）とを係脱することで、搬送時には分離可能、装着時には組合せて直管蛍光灯（１０）に脱着可能にしたことを特徴とする照明反射装置（２０）。
【００１０】
［５］  項１または２記載の照明反射装置（２０）において、
一対の反射板（３０）は、直管蛍光灯（１０）の上方を遮蔽または開放いずれにも構成可能であることを特徴とする照明反射装置（２０）。
【００１１】
前記本発明は次のように作用する。  
本発明に係る照明反射装置（２０）は、取付具（４０）により直管蛍光灯（１０）に装着して用いられる。反射板（３０）の補強部（３５）に係合されている取付具（４０）を直管蛍光灯（１０）に押し付けると、クリップ状の先端部が弾撥的に開いて直管蛍光灯（１０）が押し込まれ、クリップは直管蛍光灯（１０）を抱持し、照明反射装置（２０）は直管蛍光灯（１０）に装着される。取付具（４０）は、反射板（３０）に係合した状態で該取付具（４０）の先端部を開き直管蛍光灯（１０）に外嵌させて装着可能である。
【００１２】
装着すると、一対の反射板（３０）が直管蛍光灯（１０）に沿って傘の位置で両側に庇状に張出す。直線状の基部には補強部（３５）が形成されているので、曲がったりすることがなく、安定している。
【００１３】
反射板（３０）は、直管蛍光灯（１０）の照明光が当る側は反射効率のよい反射面（２１）であり、直管蛍光灯（１０）を点灯すると、照明光は放射状に広がるが、反射板（３０）の反射面（２１）に当たった照明光は反射されて所定の方向に向かい、放射状に広がる直管蛍光灯（１０）から直接発された照明光と一緒になってその方向の照度を上げる。
【００１４】
クリップ状の取付具（４０）の先端部には反射板（３０）の補強部（３５）の管形の部分に嵌合する係合筒（４５）が保持されており、少なくとも反射板（３０）の補強部（３５）の両端部に形成された管形の部分にこの係合筒（４５）を嵌合させて取付具（４０）が反射板（３０）と組み合わされる。
【００１５】
反射板（３０）と取付具（４０）とは、補強部（３５）の管形の部分と係合筒（４５）とが相対的に回動して、搬送時には折畳んで容積を小さくし、装着時には反射板（３０）の補強部（３５）の管形の部分と取付具（４０）の係合筒（４５）とを相対的に回転させて反射板（３０）の角度を調節することができる。
【００１６】
また、クリップ状の取付具（４０）と反射板（３０）とは次のようにして組み合わせ可能である。すなわち、反射板（３０）の補強部（３５）に穿設された係合孔（３６）に、クリップ状の取付具（４０）の先端部の係合爪（４５ａ）を嵌合させることにより組み合わせる。
【００１７】
反射板（３０）と取付具（４０）とは、搬送時には分離して梱包され、装着時には前記のように組合せて直管蛍光灯（１０）に装着され、また脱着可能である。
【００１８】
直管蛍光灯（１０）に装着された一対の反射板（３０）は、直管蛍光灯（１０）の上方を遮蔽または開放いずれにも構成可能であり、遮蔽したときは、直管蛍光灯（１０）から放射された照明光は全て反射板（３０）に当たって反射し、所定の方向の照明を強化する。開放したときは、開放した隙間から放射状の照明光がその方向に広がり、反射板（３０）により反射された照明光とあいまってまた違う照明効果を得ることができる。
【発明の効果】
【００１９】
本発明にかかる照明反射装置によれば、必要により直管蛍光灯に脱着することができるので、反射板のない直管蛍光灯に装着して照明を強化することができる。
【発明を実施するための最良の形態】
【００２０】
以下、図面に基づき本発明の好適な各種の実施の形態を説明する。
図１〜図４は本発明の第１の実施の形態を示している。  
照明反射装置２０は、直管蛍光灯１０に装着して用いられるもので、直管蛍光灯１０に沿って庇状に張出し可能な一対の反射板３０と、反射板３０を直管蛍光灯１０に脱着可能な取付具４０とより成る。
【００２１】
反射板３０は、直管蛍光灯１０の長さと同じくらいに設定され、直管蛍光灯１０の照明光が当る側は反射効率のよい反射面２１であり、程よく反射するよう、折り曲げ線３１が設けられている。反射板３０の直線状の基部には管形の補強部３５が形成され、先端部には補強リブ３９が折り曲げ形成されている。補強部３５の管形の部分は両端部だけでよく、中の部分はリブでもよい。
【００２２】
取付具４０は、直管蛍光灯１０を抱持可能な形状をしており、線材の弾性体より成るクリップ状であり、クリップ状の取付具４０の先端部が反射板３０の補強部３５に係合されるようになっている。取付具４０の基部の中央には弾性変形をしやすくする屈曲部４１が形成され、照明反射装置２０は、弾性変形を利用して、取付具４０を反射板３０に係合した状態で、取付具４０の先端部を開き直管蛍光灯１０に外嵌させて装着可能となっている。
【００２３】
クリップ状の取付具４０の先端部には反射板３０の補強部３５の管形の部分に嵌合する係合筒４５が保持されている。取付具４０の先端部に係合曲げ部４２が形成されており、係合筒４５の端部には、係合曲げ部４２が係合するリング溝４６が設けられ、係合筒４５の補強部３５の管形の部分に嵌合する部位には溝が形成されていてＯリング４７を嵌め込むようになっている。
【００２４】
反射板３０と取付具４０とは、補強部３５の管形の部分と係合筒４５とが相対的に回動して、搬送時には折畳み可能、装着時には反射板３０の角度を調節可能になっている。
【００２５】
次に作用を説明する。  
照明反射装置２０は、取付具４０により直管蛍光灯１０に装着して用いられる。装着に当たっては、図５に示すように、反射板３０を畳んだ状態で、また、畳んだ状態でなくてもよいが、反射板３０の補強部３５に係合されている取付具４０を直管蛍光灯１０に押し付けると、取付具４０のクリップ状の先端部の係合筒４５、４５が弾撥的に開いて直管蛍光灯１０が押し込まれ、図６に示すように、クリップ状の取付具４０は直管蛍光灯１０を抱持し、照明反射装置２０は直管蛍光灯１０に装着される。
【００２６】
図７に示すように、取付具４０は、反射板３０に係合した状態で該取付具４０の先端部を開き直管蛍光灯１０に外嵌させて装着可能である。装着すると、一対の反射板３０が直管蛍光灯１０に沿って傘の位置で両側に庇状に張出す。直線状の基部には補強部３５が形成されているので、曲がったりすることがなく、安定している。
【００２７】
図３および図４でわかるように、クリップ状の取付具４０の先端部には反射板３０の管形の補強部３５に嵌合する係合筒４５が保持されており、少なくとも反射板３０の補強部３５の両端部に形成された管形の部分にこの係合筒４５を嵌合させて取付具４０が反射板３０と組み合わされる。
【００２８】
すなわち、あらかじめ、係合筒４５のリング溝４６に取付具４０の係合曲げ部４２を係合させておき、取付具４０と係合筒４５とを組み合わせたまま、反射板３０の端部の補強部３５に係合筒４５を差し込んで嵌合させる。Ｏリング４７があるので、程よい抵抗で係合筒４５と補強部３５とが嵌合する。
【００２９】
図５〜図７でわかるように、反射板３０と取付具４０とは、管形の補強部３５と係合筒４５とが相対的に回動して、搬送時には折畳んで容積を小さくし、装着時には反射板３０の補強部３５の管形の部分と取付具４０の係合筒４５とを相対的に回転させて反射板３０の角度を調節することができる。
【００３０】
反射板３０は、直管蛍光灯１０の照明光が当る側は反射効率のよい反射面２１であり、直管蛍光灯１０を点灯すると、照明光は放射状に広がるが、反射板３０の反射面２１に当った照明光は反射されて所定の方向に向かい、放射状に広がる直管蛍光灯１０から直接発された照明光と一緒になってその方向の照度を上げる。
【００３１】
また、照明反射装置２０の反射板３０の補強部３５、３５の間は開いており、その間から放射された直管蛍光灯１０の照明光は反射板３０で反射されることなく放射し、所定の照明効果を得ることができる。
【００３２】
図８〜図１０は本発明の第２の実施の形態を示している。  
なお、第１の実施の形態と同種の部位には同一符号を付し重複した説明を省略する。  
照明反射装置２０ａの反射板の補強部３５ａはリブにより形成されている。そしてこの補強部３５ａに係合孔３６が穿設されている。
【００３３】
クリップ状の取付具４０ａの先端部には反射板３０ａの補強部３５ａの係合孔３６に嵌合する係合爪４５ａが設けられ、反射板３０ａと取付具４０ａとは、反射板３０ａの係合孔３６と取付具４０ａの係合爪４５ａとを係脱することで搬送時には分離可能、装着時には組合せて直管蛍光灯１０に脱着可能になっている。
【００３４】
クリップ状の取付具４０ａと反射板３０ａとは次のようにして組み合わせる。すなわち、反射板３０ａの補強部３５ａに穿設された係合孔３６に、クリップ状の取付具４０ａの先端部の係合爪４５ａを差し込み、面方向に移動させることで、係合爪４５ａに反射板３０ａの板部分を嵌合させることにより組み合わせる。
【００３５】
図１０に示すように、反射板３０ａの補強部３５ａの係合孔３６に取付具４０ａの係合爪４５ａを係合させた状態で、当該部位を直管蛍光灯１０に押し付けると、取付具４０ａのクリップ状の先端部と反射板３０ａの補強部３５ａとが弾撥的に開いて直管蛍光灯１０が押し込まれ、図８に示すように、クリップ状の取付具４０ａは直管蛍光灯１０を抱持し、照明反射装置２０ａは直管蛍光灯１０に装着される。
【００３６】
図１１は本発明の第３の実施の形態を示している。  
なお、第１および第２の実施の形態と同種の部位には同一符号を付し重複した説明を省略する。  
照明反射装置２０ｂの反射板３０ｂの補強部３５ａはリブにより形成されており、補強部３５ａにクリップ状の取付具４０ｂの先端部４５ｂが組合せ部材３７によりリベット３８止めされている。
【００３７】
なお、前記実施の形態においては、直管蛍光灯１０の背部に隙間を空けて直接照明光が放射するようにしたものを示したが、全閉するようにしてもよいことはいうまでもない。
【図面の簡単な説明】
【００３８】
【図１】本発明の第１の実施の形態に係る照明反射装置を示す要部斜視図である。
【図２】本発明の第１の実施の形態に係る照明反射装置を直管蛍光灯に装着した状態を示す側面図である。
【図３】本発明の第１の実施の形態に係る照明反射装置の取付具を示す分解斜視図である。
【図４】本発明の第１の実施の形態に係る照明反射装置の分解斜視図である。
【図５】本発明の第１の実施の形態に係る照明反射装置の装着説明図である。
【図６】本発明の第１の実施の形態に係る照明反射装置の装着説明図である。
【図７】本発明の第１の実施の形態に係る照明反射装置の装着説明図である。
【図８】本発明の第２の実施の形態に係る照明反射装置の装着説明図である。
【図９】本発明の第２の実施の形態に係る照明反射装置の側面図である。
【図１０】本発明の第２の実施の形態に係る照明反射装置の装着説明図である。
【図１１】本発明の第３の実施の形態に係る照明反射装置の側面図である。
【符号の説明】
【００３９】
１０…直管蛍光灯
２０、２０ａ、２０ｂ…照明反射装置
２１…反射面
３０、３０ａ、３０ｂ…反射板
３１…折り曲げ線
３５、３５ａ…補強部
３６…係合孔
３７…組合せ部材
３８…リベット
３９…補強リブ
４０、４０ａ、４０ｂ…取付具
４１…屈曲部
４２…係合曲げ部
４５…係合筒
４５ａ…係合爪
４６…リング溝
４７…Ｏリング
【図１】
2005142053.tif 000003
【図２】
2005142053.tif 000004
【図３】
2005142053.tif 000005
【図４】
2005142053.tif 000006
【図５】
2005142053.tif 000007
【図６】
2005142053.tif 000008
【図７】
2005142053.tif 000009
【図８】
2005142053.tif 000010
【図９】
2005142053.tif 000011
【図１０】
2005142053.tif 000012
【図１１】
2005142053.tif 000013